【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
システムであって、該システムは、
携帯用電子デバイスと、
セキュリティ装置と
を含み、該セキュリティ装置は、
該携帯用電子デバイスに固定された取り付けデバイスであって、該取り付けデバイスは、土台を含む、取り付けデバイスと、
ヘッドであって、該ヘッドは、
筐体と、
該筐体内のゲート構造であって、該ゲート構造は、内向きに傾斜した表面を有する前壁部分と、後壁部分と、該前壁部分および該後壁部分に接続されたブリッジ部分と、該後壁部分から延在する後方突出部とを含む、ゲート構造と、
該土台に向かって内向きに該ゲート構造を付勢するように構成された付勢要素と、
該筐体の内部の係止構成要素と、
該係止構成要素が係止解除構成にある場合に該後方突出部を係合するように構成されたアクチュエータであって、該アクチュエータは、該係止構成要素から延在する、アクチュエータと
を含み、該ゲート構造は、第１のゲート構造であり、該付勢要素は、第１の付勢要素であり、該セキュリティ装置は、第２のゲート構造と、第２の付勢要素とをさらに含み、該第１のゲート構造および該第２のゲート構造は、該ヘッド内において旋回不能に設置されており、該第１の付勢要素および該第２の付勢要素は、該係止構成要素が係止構成にある場合に該第１のゲート構造および該第２のゲート構造を、該土台に向かって、かつ互いに向かって付勢するように構成されている、ヘッドと、
該ヘッドに物理的に連結されたセキュリティデバイスと
を含み、
該セキュリティデバイスは、不動物体に固定されるように適合されている、システム。
【請求項２】
前記携帯用電子デバイスは、コンピュータを含む、請求項１に記載のシステム。
【請求項３】
前記ヘッドは、セキュリティデバイスに接続するように構成されている多接合継手を含み、該多接合継手は、第１の継手と旋回継手とを含み、該第１の継手は、該旋回継手の旋回アダプタに回転可能に接続されている、請求項１に記載のシステム。
【請求項４】
前記第１のゲート構造の一部は、前記第２のゲート構造の一部と重複する、請求項１に記載のシステム。
【請求項５】
前記ヘッドは、単一線形動作によって係止されるように構成され、該単一線形動作は、該ヘッドを前記取り付けデバイスの方へ移動させることを含む、請求項１に記載のシステム。
【請求項６】
前記ゲート構造は、係止されている間に前記取り付けデバイスを下方に締め付けるように構成され、前記ヘッドは、音を発することにより、係止されたことを示すように構成されている、請求項５に記載のシステム。
【請求項７】
システムであって、該システムは、
セキュリティ装置と
携帯用電子デバイスと
を含み、該セキュリティ装置は、
取り付けデバイスであって、該取り付けデバイスは、
約８ｍｍの最大横寸法と、最大で約７．５ｍｍの高さとを含む土台であって、該土台は、
環構造と、
キャップ構造と、
該環構造と該キャップ構造との間に位置する凹部と
を有する、土台と、
該土台に取り付けられ、かつ、該携帯用電子デバイスの筐体における開口部と係合させられる係合部材と
を含む、取り付けデバイスと、
ヘッドであって、該ヘッドは、
筐体と、
該ヘッドの筐体内のゲート構造であって、該ゲート構造は、該取り付けデバイスに固定するように構成され、該ゲート構造は、内向きに傾斜した表面を有する前壁部分と、後壁部分と、該前壁部分および該後壁部分に接続されたブリッジ部分と、該後壁部分から延在する後方突出部とを含む、ゲート構造と、
該土台に向かって内向きに該ゲート構造を付勢するように構成された付勢要素と、
該ヘッドの筐体の内部の係止構成要素と、
該係止構成要素が係止解除構成にある場合に該後方突出部を係合するように構成されたアクチュエータであって、該アクチュエータは、該係止構成要素から延在する、アクチュエータと
を含む、ヘッドと
を含む、システム。
【請求項８】
前記携帯用電子デバイスは、ラップトップを含む、請求項７に記載のシステム。
【請求項９】
携帯用電子デバイスを固定する方法であって、該方法は、
携帯用電子デバイスおよび該携帯用電子デバイスに取り付けられた取り付けデバイスを取得することであって、該取り付けデバイスは、該携帯用電子デバイスから延在する土台を含む、ことと、
該取り付けデバイスにヘッドを取り付けることと
を含み、該ヘッドは、
筐体と、
該筐体内のゲート構造であって、該ゲート構造は、内向きに傾斜した表面を有する前壁部分と、後壁部分と、該前壁部分および該後壁部分に接続されたブリッジ部分と、該後壁部分から延在する後方突出部とを含む、ゲート構造と、
該土台に向かって該ゲート構造を付勢するように構成された付勢要素と、
該筐体の内部の係止構成要素と、
該係止構成要素が係止解除構成にある場合に該後方突出部を係合するように構成されたアクチュエータであって、該アクチュエータは、該係止構成要素から延在する、アクチュエータと
を含み、
該係止構成要素は、該ヘッドが取り付けられた後に係止構成にあり、
該ゲート構造は、第１のゲート構造であり、該付勢要素は、第１の付勢要素であり、該セキュリティ装置は、第２のゲート構造と、第２の付勢要素とをさらに含み、該第１のゲート構造および該第２のゲート構造は、該ヘッド内において旋回不能に設置されており、該第１の付勢要素および該第２の付勢要素は、該係止構成要素が係止構成にある場合に該第１のゲート構造および該第２のゲート構造を、該土台に向かって、かつ互いに向かって付勢するように構成され、セキュリティデバイスは、該ヘッドに物理的に連結され、該セキュリティデバイスは、不動物体に固定されるように適合されている、方法。
【請求項１０】
前記ヘッドを取り付けることは、単一線形動作において該ヘッドを前記取り付けデバイスの方へ移動させることを含む、請求項９に記載の方法。
【請求項１１】
前記土台は、該土台が前記単一線形動作中に前記前壁部分を通過するまで前記ゲート構造を外向きに押す、請求項１０に記載の方法。
【請求項１２】
前記ヘッドを前記取り付けデバイスに取り付けるために、キーが必要ではない、請求項９に記載の方法。
【請求項１３】
キーを前記ヘッドに挿入することと、
前記アクチュエータを前記後方突出部と係合するように回すことであって、該アクチュエータは、該後方突出部を外向きに押し、前記第１の付勢要素を圧縮する、ことと、
該ヘッドを該取り付けデバイスから除去することと
をさらに含む、請求項１２に記載の方法。
【請求項１４】
前記ヘッドは、音を発することによって前記係止構成にあることを示す、請求項９に記載の方法。
【請求項１５】
携帯用電子デバイスを固定する方法であって、該方法は、
筐体と該筐体内に配置されたシャーシとを有する該携帯用電子デバイスを取得することと、
該携帯用電子デバイスに取り付けデバイスを固定することであって、該取り付けデバイスは、該携帯用電子デバイスの該筐体における開口部と係合するように構成された係合部材を含み、該取り付けデバイスは、該係合部材に取り付けられた土台をさらに含み、該土台は、約８ｍｍの最大横寸法と、最大で約７．５ｍｍの高さとを有し、該土台は、
環構造と、
キャップ構造と、
該環構造と該キャップ構造との間に位置する凹部と
を含む、ことと、
ヘッドを該取り付けデバイスに取り付けることと
を含み、該ヘッドは、
筐体と、
該ヘッドの筐体内のゲート構造であって、該ゲート構造は、該取り付けデバイスに固定されるように構成され、該ゲート構造は、内向きに傾斜した表面を有する前壁部分と、後壁部分と、該前壁部分および該後壁部分に接続されたブリッジ部分と、該後壁部分から延在する後方突出部とを含む、ゲート構造と、
該土台に向かって内向きに該ゲート構造を付勢するように構成された付勢要素と、
該ヘッドの筐体の内部の係止構成要素と、
該係止構成要素が係止解除構成にある場合に該後方突出部を係合するように構成されたアクチュエータであって、該アクチュエータは、該係止構成要素から延在する、アクチュエータと
を含み、該係止構成要素は、該ヘッドが取り付けられた後に係止構成にある、方法。
【請求項１６】
前記ヘッドを取り付けることは、該ヘッドを前記土台の方へ移動させることの単一線形動作を含み、それによって、該土台は、該土台が前記前壁部分を通過するまで前記ゲート構造を外向きに押す、請求項１５に記載の方法。
【請求項１７】
前記ヘッドを前記取り付けデバイスに取り付けるために、キーが必要ではない、請求項１５に記載の方法。
【請求項１８】
キーを前記ヘッドに挿入することと、
前記アクチュエータを前記後方突出部と係合するように回すことであって、該アクチュエータは、該後方突出部を外向きに押し、前記付勢要素を圧縮する、ことと、
該ヘッドを該取り付けデバイスから除去することと
をさらに含む、請求項１７に記載の方法。
【請求項１９】
前記ゲート構造は、第１のゲート構造であり、前記付勢要素は、第１の付勢要素であり、前記ヘッドは、第２のゲート構造と、第２の付勢要素とをさらに含み、該第１の付勢要素および該第２の付勢要素は、前記係止構成要素が係止構成にある場合に該第１のゲート構造および該第２のゲート構造を内向きに付勢するように構成され、該第１のゲート構造の一部は、該第２のゲート構造の一部と重複する、請求項１５に記載の方法。
【請求項２０】
前記係合部材は、ネジ式支柱を備え、前記携帯用電子デバイスに前記取り付けデバイスを固定することは、該ネジ式支柱が該携帯用電子デバイスの前記筐体におけるネジ穴と螺合可能に係合されるように、前記土台を回転させることを含む、請求項１５に記載の方法。
【請求項２１】
前記係合部材は、Ｔバーを含む、請求項１５に記載の方法。
【請求項２２】
前記携帯用電子デバイスに前記取り付けデバイスを固定することは、該携帯用電子デバイスの前記筐体における前記穴を通して、前記係合部材を前記シャーシに固定することを含む、請求項１５に記載の方法。
【請求項２３】
前記ヘッドを前記取り付けデバイスに取り付けることは、前記ヘッドによって前記土台を包囲することを含む、請求項１５に記載の方法。